(57)【特許請求の範囲】
【請求項１】
薬液の充填空間を備える容器本体と、該容器本体の口部に着脱自在に取り付けられ該充填空間につながる開口を有するホルダーと、該ホルダーを支持して該容器本体を倒立姿勢でもって保持するベースとを備え、該開口を通して注出する薬液を水洗トイレの手洗い付きタンクに供給する薬液注出器であって、
前記ホルダーは、前記開口に保持されて該充填空間内の薬液を浸透させて排出する多孔質体を有し、
前記ベースは、該多孔質体の直下に配される吸水体を有し、該吸水体を取り囲む外側周壁を備え、
該ベースの外側周壁に、該吸水体に向けて手洗いカランから放水される水を導入する窓孔を設けるとともに、該ホルダーに設けた係合部を支持して該多孔質体の排出側端部と該吸水体との間に隙間をあける被係合部を設けることを特徴とする薬液注出器。
【請求項２】
前記ベースは、前記窓孔を前記外側周壁に沿って間隔をあけて複数個有し、該窓孔の相互間に、前記吸水体を下方から支持する複数個のリブを備える請求項１に記載の薬液注出器。
【請求項３】
前記窓孔は、前記吸水体の上面よりも下方側に位置する上端縁を備える請求項１又は２に記載の薬液注出器。
【請求項４】
前記多孔質体の排出側端部を、前記ホルダーの開口面と同一面上に配置するとともに、該薬液注出器の未使用状態において、該開口面に、該多孔質体の排出側端部を覆うシール材を貼着してなる請求項１〜３の何れかに記載の薬液注出器。
【請求項５】
前記多孔質体は、前記容器本体内の薬液注出に伴う液面の低下によって該液面から露出して薬液の交換時期を示す上方端部を有する請求項１〜４の何れかに記載の薬液注出器。
【請求項６】
前記外側周壁に、該吸水体の抜け出しを阻止する内向き凸部を設けてなる請求項１〜５の何れかに記載の薬液注出器。
【発明の詳細な説明】
【技術分野】
【０００１】
本発明は、水洗トイレの手洗い付きタンクの手洗い部に載置され、手洗い部の上方に設けた手洗いカランからの給水に伴って、各種の薬液をタンク内に供給するトイレ用の薬液注出器に関するものである。
【背景技術】
【０００２】
従来より、水洗トイレの手洗い付きタンクの手洗い部に載置されて、タンク内の水に芳香剤や洗浄剤、殺菌剤等の薬液を供給する各種の薬液注出器が使用されている。このような薬液注出器としては、例えば特許文献１に記載のように、薬液収納箱に挿通される棒部にフロートを設けるとともに、棒部に薬液収納箱内の薬液を微少量収容する凹部を設け、手洗いカランから放出する水によって上下動するフロートの作用にて、上昇時に凹部内に薬液を収容し、下降時に凹部内の薬液をその水に流れ込ませるものが知られている。
【先行技術文献】
【特許文献】
【０００３】
【特許文献１】特開平１１−２８０１３２号公報
【発明の概要】
【発明が解決しようとする課題】
【０００４】
ところで上述した薬液注出器においては、手洗いカランから水が放出される毎に微少量の薬液を正確に供給できるものの、フロート等を設けたことによる部品点数の増加、構造の複雑化が避けられない。また、安定的に動作させるためには、構成部材の寸法精度の厳格な管理が必要となる。このため、フロート等の可動機構に頼らずとも薬液の注出を安定的に行うことができて、より簡易な構造となる新たな薬液注出器の出現が強く望まれていた。
【０００５】
本発明の課題は、各種の薬液を、水洗トイレの手洗い付きタンク内に供給するトイレ用の薬液注出器に関し、簡単な構造で、しかも薬液を安定的に注出することができる新たな薬液注出器を提案するところにある。
【課題を解決するための手段】
【０００６】
本発明は、薬液の充填空間を備える容器本体と、該容器本体の口部に着脱自在に取り付けられ該充填空間につながる開口を有するホルダーと、該ホルダーを支持して該容器本体を倒立姿勢でもって保持するベースとを備え、該開口を通して注出する薬液を水洗トイレの手洗い付きタンクに供給する薬液注出器であって、
前記ホルダーは、前記開口に保持されて該充填空間内の薬液を浸透させて排出する多孔質体を有し、
前記ベースは、該多孔質体の直下に配される吸水体を有し、該吸水体を取り囲む外側周壁を備え、
該ベースの外側周壁に、該吸水体に向けて手洗いカランから放水される水を導入する窓孔を設けるとともに、該ホルダーに設けた係合部を支持して該多孔質体の排出側端部と該吸水体との間に隙間をあける被係合部を設けることを特徴とする薬液注出器である。
【０００７】
前記ベースは、前記窓孔を前記外側周壁に沿って間隔をあけて複数個有し、該窓孔の相互間に、前記吸水体を下方から支持する複数個のリブを備えることが望ましい。
【０００８】
前記窓孔は、前記吸水体の上面よりも下方側に位置する上端縁を備えることが望ましい。
【０００９】
前記多孔質体の排出側端部を、前記ホルダーの開口面と同一面上に配置するとともに、該薬液注出器の未使用状態において、該開口面に、該多孔質体の排出側端部を覆うシール材を貼着することが望ましい。なお貼着とは、接着剤やのり等によってシール材をホルダーに固着する接着の他、シール材に熱を加えて固着する溶着、融着も含む。
【００１０】
前記多孔質体は、前記容器本体内の薬液注出に伴う液面の低下によって該液面から露出して薬液の交換時期を示す上方端部を有することが望ましい。
【００１１】
前記ベースの外側周壁に、該吸水体の抜け出しを阻止する内向き凸部を設けることが望ましい。
【発明の効果】
【００１２】
薬液の充填空間につながる開口を有するホルダーに、薬液を浸透させて排出する多孔質体を設け、ホルダーを介して容器本体を倒立姿勢で保持するベースに、多孔質体の直下に配される吸水体、及び吸水体を取り囲む外側周壁を設け、この外側周壁に、吸水体に向けて手洗いカランから放水される水を導入する窓孔を設けるとともに、ホルダーに設けた係合部を支持して該多孔質体の排出側端部と吸水体との間に隙間をあける被係合部を設けたので、多孔質体から染み出す薬液は、排出側端部と吸水体との間で水滴となって１滴ずつ吸水体に浸透する。これにより、多孔質体から染み出した薬液が直接吸水体に染みこむことがなく、吸水体が薬液の注出量に影響を与えることがなくなる（吸水体の乾燥状態等の変動に伴い、薬液の注出量が変化することがなくなる）ので、常時、定量の薬液を容器本体から注出させることができる。また、窓孔を通してベース内に導入される水と多孔質体との接触は、吸水体によって阻止されて、水滴の形成に対する影響を有効に抑えることができるので、薬液を安定的に注出させることができる。
【００１３】
ベースに、外側周壁に沿って間隔をあけた複数個の窓孔を設け、窓孔の相互間に、吸水体を下方から支持する複数個のリブを設ける場合は、多孔質体の排出側端部と吸水体との隙間を、ホルダーの係合部及びベースの被係合部との関係に加え、リブの高さでも変化させることができるので、薬液の種類に応じた隙間の調整を容易に行うことができる。
【００１４】
窓孔の上端縁を、吸水体の上面よりも下方側に位置させる場合は、ベース内に導入される水と多孔質体との接触を、より確実に阻止することができるので、薬液をさらに安定的に注出することができる。
【００１５】
多孔質体の排出側端部を、ホルダーの開口面と同一面上に配置して、この開口面にシール材を貼着する場合は、簡易な構造でありながら、流通時等の未使用状態での薬液の漏れ出しを有効に阻止することができる。
【００１６】
多孔質体は、容器本体内の薬液注出に伴う液面の低下によって液面から露出して薬液の交換時期を示す上方端部を有するものとする場合は、使用者は、この上方端部の露出にて薬液の交換時期を前もって知ることができるので使い勝手がよくなる。
【００１７】
ベースの外側周壁に、吸水体の抜け出しを阻止する内向き凸部を設ける場合は、例えば容器本体内の薬液の残量が減って新たな容器本体に交換する際に、吸水体が脱落するおそれがなく、交換作業が容易となる。
【図面の簡単な説明】
【００１８】
【図１】本発明に従う薬液注出器の流通時の形態を示す、（ａ）は側面視での断面図であり、（ｂ）は（ａ）に示すＡ−Ａに沿う断面図である。
【図２】図１（ｂ）に示す矢印Ｘからの矢視図である。
【図３】図１（ｂ）に示すＢ−Ｂに沿う断面図である。
【図４】図１に示す薬液注出器の実施の形態を示す、上下を反転させた倒立姿勢で手洗い付きタンクに載置された断面図である。
【図５】図４に示す状態から薬液の注出を継続させて、多孔質体の上方端部が薬液の液面から露出している状態を示す断面図である。
【図６】本発明に従う他の薬液注出器につき、（ａ）は部分側面図であり、（ｂ）は下面図である。
【発明を実施するための形態】
【００１９】
以下、図面を参照して、本発明をより具体的に説明する。
図１は、本発明に従う薬液注出器の流通時の形態を示す、（ａ）は側面視での断面図であり、（ｂ）は（ａ）に示すＡ−Ａに沿う断面図であって、図２は、図１（ｂ）に示す矢印Ｘからの矢視図であって、図３は、図１（ｂ）に示すＢ−Ｂに沿う断面図であって、図４は、図１に示す薬液注出器の実施の形態を示す、上下を反転させた倒立姿勢で手洗い付きタンクに載置された断面図であって、図５は、図４に示す状態から薬液の注出を継続させて、多孔質体の上方端部が薬液の液面から露出している状態を示す断面図である。
【００２０】
図１（ａ）において、１０は容器本体である。図示の例で容器本体１０は、外側に向けて凸状となり容器本体１０の底壁をなす湾曲壁１１と、湾曲壁１１の縁部を取り囲み内側に傾斜しながら起立する周壁１２と、肩部１３を介して周壁１２に一体連結する口部１４とからなり、これらで区画形成される充填空間Ｍに、芳香剤、洗浄剤、殺菌剤等の各種の薬液を充填している。また、口部１４の外面には、ねじやアンダーカットで形成される結合部１４ａ（図示の例ではねじ）が設けられている。ここで容器本体１０は、薬液の残量が視認できるように、透明又は半透明であることが好ましい。なお、容器本体１０の一部を透明又は半透明にして、この部位を残量確認用窓部として用いてもよい。
【００２１】
２０は、口部１４に着脱自在に取り付けられるホルダーである。図示の例でホルダー２０は、口部１４の開口を覆う蓋壁２１と、蓋壁２１の端縁を取り囲む内側周壁２２と、内側周壁２２の下端と一体連結して径方向外側に向けて延在する段部２３と、段部２３の外側端縁から口部１４を取り囲んで垂下される外側周壁２４とを備えている。外側周壁２４の内面には、結合部１４ａに対応する被結合部２４ａが形成されている。また、段部２３の内側端縁には、環状のシール壁２５が設けられている。シール壁２５は、口部１４の内面に液密に当接していて、充填空間Ｍ内の薬液が口部１４の周囲から漏れ出すことを防止している。
【００２２】
蓋壁２１には、その表裏を貫通して充填空間Ｍにつながる開口２１ａが形成されている。また、蓋壁２１には、開口２１ａを取り囲んで充填空間Ｍに向けて延び、後述する多孔質体を嵌合保持する嵌合壁２１ｂが設けられている。なお、嵌合壁２１ｂで直接多孔質体を嵌合させてもよいが、図示のように周方向に間隔をあけて複数個設けられる嵌合リブ２１ｃで嵌合するようにしてもよい。
【００２３】
また、外側周壁２４には、後述するベースに支持される係合部２４ｂが設けられている。図示の例で係合部２４ｂは、図１（ａ）、図２に示すように、外側周壁２４の外面から外側に向けて突出する矩形状の凸部となっていて、周方向に均等配置で合計２個設けられている。
【００２４】
３０は、図示の例では嵌合リブ２１ｃにて保持される棒状の多孔質体である。多孔質体３０は、その内側に多数の孔を有し、容器本体１０内の薬液を浸透させて開口２１ａ側に位置する排出側端部３０ａから、浸透した薬液を注出することができる。多孔質体３０は、例えばセラミックス等の粉体を成形して焼結したものを用いることができるが、スポンジやフェルト等も適用することが可能であり、使用目的に応じて適宜変更される。
【００２５】
４０は、薬液の未使用状態を維持するシール材である。シール材４０を設けるに当たっては、図１に示すように、多孔質体３０を、排出側端部３０ａがホルダー２０の開口２１ａと同一面（蓋壁２１の外側面）上に配されるように取り付けることが好ましい。これにより、シール材４０と蓋壁２１との間に隙間を生じさせることなく、シール材４０を蓋壁２１に確実に貼着できるので、充填空間Ｍ内を気密に維持することができる。なお、シール材４０は、使用に際して取り外ししやすいように、その一部が蓋壁２１からはみ出す形状にしておくことが好ましい。
【００２６】
５０は、ホルダー２０を支持して容器本体１０を倒立姿勢でもって手洗い付きタンクに載置するベースである。図１（ａ）に示すように、ベース５０は、先端開口５１ａを有する先端筒体５１と、段部５２を介して先端筒体５１に一体連結する外側周壁５３とからなる。
【００２７】
外側周壁５３には、その表裏を貫く窓孔５３ａが形成されている。図示の例で窓孔５３ａは、図１（ｂ）に示すように、周方向に間隔をおいて複数個（図示の例では、周方向に均等配置で合計４個）形成されている。また、外側周壁５３の窓孔５３ａを形成した相互間には、図３に示すように、径方向内側に向けて先端筒体５１の内面まで延びるリブ５３ｂが、複数個（図示の例では、周方向に均等配置で合計４個）設けられている。また、図１（ａ）に示すように外側周壁５３の内面には、径方向内側に向けて突出する内向きの凸部５３ｃが少なくとも１つ設けられている。さらに、外側周壁５３には、図２に示すように、ホルダー２０の係合部２４ｂに対応する被係合部５３ｄが設けられている。被係合部５３ｄは、図示の例では凹部となっている。
【００２８】
６０は、薬液や水等を浸透させることができる、例えば発泡材、高分子ポリマー等からなる円板状の吸水体である。図１に示す例で吸水体６０は、外側周壁５３の内側に、リブ５３ｂと凸部５３ｃとの間で抜け止め保持されている。
【００２９】
上記のように構成される薬液注出器を使用するに当たっては、ホルダー２０をベース５０から取り外してシール材４０を剥がしておき、図４に示すように、薬液注出器を、上下を反転させた倒立姿勢として、手洗いタンクＴの上方に設けられる手洗いカランから放出される水をこのタンク内に導く導入口Ｈに、ベース５０の先端筒体５１を挿入させて、手洗いタンクＴ上に載置する。これにより、充填空間Ｍ内の薬液は、多孔質体３０に浸透して、排出側端部３０ａから染み出す。ここで、ホルダー２０は、係合部２４ｂを被係合部５３ｄに係合させて下方側から支持されて、排出側端部３０ａとその直下に位置する吸水体６０との間には、隙間ｇを形成している。これにより、排出側端部３０ａから染み出した薬液は、図５に示すように水滴となって、１滴ずつ一定周期で落下して吸水体６０に浸透する。
【００３０】
そして、手洗いカランから給水を行うと、放出された水は図４の矢印に示すように、容器本体１０の湾曲壁１１を伝って流れ、窓孔５３ａからベース５０内に導入される。導入された水は吸水体６０の下面６０ａに接触しつつ流れ、吸水体６０に浸透した薬液を伴って先端開口５１ａから排出されて、手洗いタンク内に薬液が供給される。
【００３１】
なお、図４に示すように、窓孔５３ａの上端縁５３ｅは、吸水体６０の上面６０ｂよりも下方側に位置することが好ましい。これにより、ベース５０内に導入される水と多孔質体３０の排出側端部３０ａとの接触が、より確実に防止できるので、薬液の水滴形成が所期した通りに維持されて、充填空間Ｍから安定的に注出される。
【００３２】
また、排出側端部３０ａと吸水体６０との隙間ｇは、ホルダー２０の係合部２４ｂ及びベース５０の被係合部５３ｄとの関係に加え、リブ５３ｂの高さでも変化させることができるので、薬液の種類に応じた隙間ｇの調整が容易に行えることとなる。
【００３３】
薬液の注出が進むと、図５に示すようにその液面は低下し、多孔質体３０の上方端部３０ｂが露出する。この場合、多孔質体３０の長さを薬液の種類に応じて変えておき（例えば、多孔質体３０への浸透速度が速く、薬液が比較的速く排出される場合には長くしておく）、上方端部３０ｂの露出時期を薬液の交換時期に合わせておくことで、使用者は、上方端部３０ｂの露出をもって交換時期を前もって知ることができるので、使い勝手がよくなる。
【００３４】
また、図１に示す先端筒体５１に代えて、図６（ａ）、（ｂ）に示すように、周方向に間隔をあける複数個の弾性片５４（図示の例では、均等配置で合計４個）を設けてもよい。この場合、弾性片５４を導入口Ｈよりも僅かに大きくしておき、弾性片５４を撓ませて導入口Ｈに挿入することで、手洗いタンクＴ上に載置される薬液注出器を安定して保持できるので、使用中に誤って注出器を転倒させてしまうおそれを極力抑えることができる。
【００３５】
なお、図示は省略するが、ホルダー２０の嵌合壁２１ｂには、蓋壁２１付近に少なくとも１つの孔やスリット等を設けておくことが好ましい。これにより、内側周壁２２と嵌合壁２１ｂとの相互間に形成される環状空間の薬液も多孔質体３０に浸透させることができるので、充填空間Ｍ内の薬液を無駄なく使用することができる。
【産業上の利用可能性】
【００３６】
本発明によれば、薬液を水洗トイレの手洗い付きタンク内に安定的に注出することが可能であり、しかもその構造が簡単であって使い勝手もよい薬液注出器を提供することができる。
【符号の説明】
【００３７】
１０  容器本体
１４  口部
２０  ホルダー
２１ａ  開口
２４  外側周壁
２４ｂ  係合部
３０  多孔質体
３０ａ  排出側端部
３０ｂ  上方端部
４０  シール材
５０  ベース
５３  外側周壁
５３ａ  窓孔
５３ｂ  リブ
５３ｃ  凸部
５３ｄ  被係合部
５３ｅ  上端縁
６０  吸水体
Ｍ    充填空間
ｇ    隙間
【図１】
0005749110.tif 000002
【図２】
0005749110.tif 000003
【図３】
0005749110.tif 000004
【図４】
0005749110.tif 000005
【図５】
0005749110.tif 000006
【図６】
0005749110.tif 000007